(57)【特許請求の範囲】
【請求項１】
商品容器である円柱状の缶(C)のネック部に被せるように、各一対の側板(1,2)をそれぞれ対向するように繋いで周壁を形成し、側板(1,2)の下縁から延出した係止片(7)を内側へ折り込んで缶(C)のネック部に形成されたフランジに係合させ、側板(1)の上縁から延出した天板(8)を閉じる商品容器への取付広告具において、前記一対の側板(1)と係止片(7)及び天板(8)との境界をなす罫線を弓状に反らせて、この一対の側板(1)が缶(C)の外周に沿った膨出曲面となるようにし、前記係止片(7)は、隣り合う側板(1,2)から延びるものが繋がり、側板(1,2)の下端の中間部で切り離されて、缶(C)の傾斜したネック部に沿って載るようにし、一方の膨出した側板(1)及びこれに繋がる天板(8)に、側板(1)の下端縁の係止片(7)のない部分を始端とし、天板(8)の先端を終端とする縦方向の切裂帯(12)を設け、その切断に伴い側板(1)及び天板(8)が切り開かれて、係止片(7)と缶(C)のネック部のフランジとの係合が解除されるようにしたことを特徴とする取付広告具。
【発明の詳細な説明】
【技術分野】
【０００１】
この発明は、商品容器である缶に取り付けて広告効果を高めたり、景品を収納したりする取付広告具に関するものである。
【背景技術】
【０００２】
一般に、商品の販売促進のため、店頭での陳列に際し、ボトル等の商品容器のネック部に、景品を収納した袋を引っ掛けて店頭で陳列しておき、商品の購入者が商品と共に景品を持ち帰れるようにすることが行われている。
【０００３】
また、この袋に代えて、下記特許文献１では、天板の周囲に連設した側板を四角筒状に繋いで、その内部に景品収納空間を形成し、対向する側板の下縁から延びる係止片を内側へ折り込んで、ボトルのネック部に係合させる取付広告具が提案されている。
【０００４】
【特許文献１】特開２００３−２９５７６６号公報
【発明の開示】
【発明が解決しようとする課題】
【０００５】
しかしながら、商品容器のネック部に袋を引っ掛けるだけでは、商品を購入することなく、景品を収納した袋だけが持ち去られる恐れがある。
【０００６】
また、特許文献１に記載の取付広告具でも、商品容器への係止が外れやすく、景品を収納した取付広告具だけが持ち去られる恐れがある。
【０００７】
その対策として、樹脂成形した取付広告具を商品容器のネック部に嵌め込むことも考えられているが、この場合、取付広告具が商品容器に堅固に係合して、商品購入後に取り外しにくくなることがある。
【０００８】
そこで、この発明は、店頭では持ち去りを防止でき、購入後には商品容器から簡単に取り外すことができる取付広告具を提供することを課題とする。
【課題を解決するための手段】
【０００９】
上記課題を解決するため、この発明は、商品容器である円柱状の缶のネック部に被せるように、各一対の側板をそれぞれ対向するように繋いで周壁を形成し、側板の下縁から延出した係止片を内側へ折り込んで缶のネック部に形成されたフランジに係合させ、側板の上縁から延出した天板を閉じる商品容器への取付広告具において、前記一対の側板と係止片及び天板との境界をなす罫線を弓状に反らせて、この一対の側板が缶の外周に沿った膨出曲面となるようにし、前記係止片は、隣り合う側板から延びるものが繋がり、側板の下端の中間部で切り離されて、缶の傾斜したネック部に沿って載るようにし、一方の膨出した側板及びこれに繋がる天板に、側板の下端縁の係止片のない部分を始端とし、天板の先端を終端とする縦方向の切裂帯を設け、その切断に伴い側板及び天板が切り開かれて、係止片と缶のネック部のフランジとの係合が解除されるようにしたのである。
【発明の効果】
【００１０】
このような取付広告具を商品容器に取り付けると、湾曲した側板や係止片の復元力により、商品容器のネック部が係止片で挟み込まれ、取付広告具が商品容器に確実に係合するので、店頭での取付広告具の持ち去りを防止できる。
【００１１】
また、商品購入後には、切裂帯の切断に伴い側板を切り開いて、商品容器に対する係止片の係合を解除することにより、取付広告具を簡単に取り外すことができる。
【発明を実施するための最良の形態】
【００１２】
この発明の第１実施形態を図１乃至図５に基づいて説明する。
【００１３】
この取付広告具は、飲料の缶に取り付けられるものであり、図１に示す板紙製ブランクから形成される。このブランクでは、各一対の側板１及び側板２が交互に連設され、一方の側板１の外縁に継代片３が連設されている。各側板２の上縁には折曲片５が連設され、その基部は谷折線及び斜めの山折線を介して側板１及び継代片３に繋がっている。
【００１４】
各側板１、側板２及び継代片３の下縁には、跨るように係止片７が連設され、側板１と係止片７の境界をなす罫線は、側板１の中央側へかけて下方に傾斜しており、係止片７は側板１，２の中間部で途切れている。各側板１の上縁には天板８がそれぞれ連設され、側板１と天板８の境界をなす罫線は、下向き弧状に湾曲している。
【００１５】
天板８の先端縁には、複数の閉止片１０が交互に噛合するように突設され、一方の側板１及びこれに繋がる天板８には、ジッパ型の切裂帯１２が設けられている。
【００１６】
上記のようなブランクから取付広告具を組み立てるには、ブランクを側板１，２の一側の境界をなす罫線に沿って１８０°折り曲げ、継代片３を側板１の内面に貼り付ける。この状態では、取付広告具は扁平になっているので、嵩張ることなく輸送し、保管しておくことができる。
【００１７】
そして、この取付広告具を缶に取り付ける際には、図２に示すように、側板２を両側から押して各側板１を外側へ湾曲するように撓ませ、係止片７を内側へ折り込み、図３及び図４に示すように、缶Ｃに取付広告具を被せると、係止片７が折曲部の反発により缶Ｃの傾斜したネック部に沿って載置され、係止片７の先端縁が缶Ｃのネック部に形成されたフランジに係合して、取付広告具が缶Ｃに固定される。
【００１８】
その後、天板８を開けた状態で、取付広告具の内部に景品を収納し、折曲片５を基端側が谷折りになるように内側に折り込んで、２枚の天板８を閉じ、各天板８の閉止片１０を噛み合わせて封緘する。なお、図示のように、缶Ｃに取付広告具を取り付ける際、天板８を閉じておいてもよい。
【００１９】
このように取付広告具を缶Ｃに取り付けると、膨出曲面となった側板１により優れた広告効果が発揮され、景品の説明等を表裏に印刷しておくこともでき、リーフレット等を別途挿入する必要がなくなる。また、取付広告具に景品を収納することなく、取付広告具のデザインで広告効果を得ることもできる。
【００２０】
そして、湾曲した側板１の復元力と、側板１，２の稜部で屈曲した係止片７の内側への迫り出しにより、缶Ｃのネック部が係止片７で挟み込まれ、取付広告具が缶Ｃに確実に係合するので、店頭での取付広告具の持ち去りを防止できる。
【００２１】
また、消費者が缶Ｃを購入した後においては、図５に示すように、切裂帯１２を切断して、側板１を切り開くと、缶Ｃに対する係止片７の係合が解除されるので、取付広告具を簡単に取り外すことができ、解体した取付広告具は、一般の可燃ごみとして廃棄することができる。
【図面の簡単な説明】
【００２２】
【図１】この発明の第２実施形態に係る取付広告具のブランクを示す図
【図２】同上の組立状態を下方から示す斜視図
【図３】同上の缶への取付状態を示す斜視図
【図４】同上の下部切欠正面図
【図５】同上の開封過程を示す斜視図
【符号の説明】
【００２３】
１，２  側板
３，４  継代片
５  折曲片
６  罫線
７  係止片
８  天板
１０  閉止片
１２  切裂帯
Ｃ  缶
【図１】
0004611789.tif 000002
【図２】
0004611789.tif 000003
【図３】
0004611789.tif 000004
【図４】
0004611789.tif 000005
【図５】
0004611789.tif 000006